(57)【要約】【課題】背板上でパズル片を不用意に崩れるようなことなく簡単に組立てることが出来て、しかも組み立てたジグソーパズルを手軽に飾ることの出来る額縁を提供する。【解決手段】外枠と、この外枠内に組み込まれる透明カバー及び背板とからなる額縁において、前記背板における前記透明カバーとの対向面に、ジグソーパズルを組み込むための凹所が設けられ、この凹所の深さが、この凹所内に組み込むジグソーパズルの厚さとほぼ同一である。【選択図】図３
2008073300.tif 000002
【特許請求の範囲】
【請求項１】
外枠と、この外枠内に組み込まれる透明カバー及び背板とからなる額縁において、前記背板における前記透明カバーとの対向面に、ジグソーパズルを組み込むための凹所が設けられていることを特徴とするジグソーパズル用額縁。
【請求項２】
前記凹所の深さが、この凹所内に組み込むジグソーパズルの厚さとほぼ同一であることを特徴とする請求項１に記載のジグソーパズル用額縁。
【発明の詳細な説明】
【技術分野】
【０００１】
本発明は、組立てられたジグソーパズルを飾るための額縁に関する。
【背景技術】
【０００２】
一般にジグソーパズルは、購買者が包装箱表面などに印刷されている図柄を見ながら所定ピースに分かれたパズル片を組み立てるものである
そして組立て後のジグソーパズルをディスプレイとして部屋に飾る場合には、外枠と、この外枠内に組み込む透明カバー及び背板がセットとなっているジグソーパズル用の額縁を別途用意して、組み立てられたジグソーパズルを背板上に載せ替えて、その上から透明カバーを被ぶせ、その後、ジグソーパズルの周囲に外枠を嵌め込んで、額縁を組立て、この組み立てられた額縁を壁に掛けるなどして、飾るようにしている。（特許文献１参照）
しかしながら、以上のごとく、組み立てられたジグソーパズルを額縁の背板上に載せ替える際に組み立てたジグソーパズルを崩してしまう不具合がある。
【０００３】
また前述の額縁の背板上で直接ジグソーパズルを組み立てるとしても、ジグソーパズルが載せられた背板に外枠を嵌め込む際などに、パズル片に手が触れるなどして、パズル片が背板上から不用意に落下したり、あるいは組み立てたジグソーパズルが崩れるなどの問題がある。
【特許文献１】特開２００５−３４９１４６号公報
【発明の開示】
【発明が解決しようとする課題】
【０００４】
本発明は以上の実情に鑑みて開発したものであって、目的とするところは、パズル片を直接背板上で不用意に崩すようなことなく簡単に組み立てることが出来て、しかも組み立てたジグソーパズルを手軽に飾ることの出来る額縁を提供することにある。
【課題を解決するための手段】
【０００５】
以上の目的を達成するため、請求項１に記載の発明は、外枠と、この外枠内に組み込まれる透明カバー及び背板とからなる額縁において、前記背板における前記透明カバーとの対向面に、ジグソーパズルを組み込むための凹所が設けられていることを特徴とするものである。
【０００６】
請求項２に記載の発明は、請求項１に記載の額縁において、前記凹所の深さが、この凹所内に組み込むジグソーパズルの厚さとほぼ同一であることを特徴とするものである。
【発明の効果】
【０００７】
請求項１に記載の発明によれば、パズル片を額縁の背板上で直接組み立てることが出来るのは勿論のこと、パズル片の組立て時、パズル片は、凹所内に収められるので背板上から不用意に落下する不具合がないし、またジグソーパズルの額装時においても、ジグソーパズルは背板の凹所内に嵌っているので、組ｎ立てたジグソーパズルが、不用意に崩れたり背板から落下するような不具合も抑制することが出来る。
【０００８】
請求項２に記載の発明によれば、請求項１に記載の発明の効果に加え、ジグソーパズルを額装した時、背板と透明カバーとで、ジグソーパズルが確実に挟持されて、ジグソーパズルが不用意にガタ付くのを抑制することが出来る。
【発明を実施するための最良の形態】
【０００９】
以下、本発明にかかる額縁を図に示す実施形態に基づいて説明する。
図において符号１で示す額縁は、組み立てられたジグソーパズルＰを専ら飾るためのものであって、この額縁１は、基本的には、正面視横長の長方形である外枠２と、この外枠２内に嵌め込む透明カバー３及び背板４とから構成されている。
【００１０】
図に示す外枠2及び背板４は木から形成され、また透明カバー３は透明の薄いプラスチック板から形成されている。
【００１１】
そして外枠２の内周面には、透明カバー3及び背板４の外周縁部を嵌め込むための      嵌合溝２１が形成されている。
【００１２】
尚、外枠2及び背板４はプラスチックまたは軽金属から形成したものでもよいし、また透明カバー３は板ガラスから形成したものでもよい。
【００１３】
またジグソーパズルＰは、既知の通り、例えば絵や写真などを細かなピースに切り分けてなる多数のパズル片Ｐ−Ｐを組み立てるようにしたものである。
【００１４】
以上の構成からなる額縁１において、本発明は、背板４における透明カバー３との対向面に、ジグソーパズルＰを組み込むための凹所５を設けたのである。
【００１５】
この凹所５は、組み立てられたジグソーパズルＰの形状と同一に形成されており、実施形態では、背板４における透明カバー３との対向面の周囲に木製の細長い板材４１を接着して、この板材４１で囲まれた部分を凹所５としている。
【００１６】
また実施形態では、凹所５の深さを、この凹所５内に嵌め込むジグソーパズルＰの厚さよりもわずかに深くしている。
【００１７】
図中、２２は、外枠２内に嵌めた背板４を外枠２に係止するための係止片であって、この係止片２２は、外枠２の背面にビス２３を介して回転可能に取り付けられている。
【００１８】
また図中、６は額縁１を例えば机やテーブル上に立てる際に用いる起立保持板であって、その長さ方向一端部がヒンジ部材６１を介して背板４の外面に取り付けられている。
【００１９】
尚、額縁１を壁などに吊り掛ける場合には、前述の起立保持板６に替えて、一対の紐掛け部材を外枠２の左右背面にそれぞれ取り付けて、これら紐掛け部材間に紐を掛け渡し、この紐を介して額縁１を壁などに吊り掛けるようにすれば良い。
【００２０】
以上の構造からなる額縁１では、ジグソーパズルＰを組み立てるに際して、まず背板４を外枠２から取り外して、この背板４の凹所５内にパズル片Ｐ−Ｐを順次嵌め込んで、凹所５内でジグソーパズルＰを組み立てて行くのであって、例えば完成時のジグソーパズルｐの周縁部からパズル片Ｐ−Ｐを組み立て始める場合には、ジグソーパズルｐの周縁部を構成するパズル片Ｐ−Ｐが凹所の周縁部で保持されて、不用意にずれ動くのが抑制されるので、ジグソーパズルＰの組み立てが簡単且つスムーズに行なえるのである。
【００２１】
尚、ジグソーパズルＰが組み立てられた段階では、完成したジグソーパズルＰが凹所５にガタ付きなく嵌め込まれた状態となるのである。
【００２２】
そして凹所5内に嵌め込まれたジグソーパズルＰ上に透明カバー３を載せた後、背板４の周りに外枠２をセットして、この外枠２の嵌合溝２１に背板４及び透明カバー３を嵌め込み、続いて係止片２２を回転させて、この係止片２２で背板４及び透明カバー３を外枠２に止めることで、ジグソーパズルＰが額装されるのであり、以上の額装時、グーパズルＰは背板４の凹所５内に嵌っているので、組み立てたジグソーパズルＰが、不用意に崩れたりあるいは背板４から落下するような不具合を解消することが出来る。
【００２３】
以上の実施形態では、背板４における透明カバー３との対向面の周囲に細長い板材４１を接着して、この板材４１で囲まれた部分を凹所５としたが、これに限定されるものではなく、例えば図７〜図８に示す構造のものでもよい。
【００２４】
即ち、図７〜図８に示す実施形態では、背板４の四方周縁に沿う４つの仕切り体４２をそれぞれ薄肉ヒンジ４３を介して折り曲げ可能とした仕切り部材４４を軟質若しくは硬質の合成樹脂材料から別途形成し、各仕切り体４２に一体に突設してなる一対の挟持片４５ａ・４５ｂ間に背板４の端縁部を嵌合させることで、挟持片４５ａ・４５ｂを介して仕切り部材４４を背板４の外周縁に装着して、仕切り部材４４で囲まれた部分を凹所５とするようにしてもよい。
【００２５】
また以上の実施形態では、凹所５の深さを、この凹所５内に嵌め込むジグソーパズルＰの厚さよりもわずかに深くしたが、これに限定されるものではなく、ジグソーパズルＰの厚さと同一にしてもよく、以上の構成とすることで、ジグソーパズルＰを額装した時、背板４と透明カバー３とで、ジグソーパズルＰが確実に挟持されて、ジグソーパズルＰが不用意にガタ付くのを抑制することが出来る。
【００２６】
また凹所５の深さを、この凹所５内に嵌め込むジグソーパズルＰの厚さよりもわずかに、例えば１ｍｍ程度浅くしてもよく、以上のように凹所５の深さを浅くすることで、ジグソーパズルＰを額装した時、背板４と透明カバー３とで、ジグソーパズルＰがより確実に挟持されることとなって、ジグソーパズルＰが不用意にガタ付くのをより一層抑制することが出来る。
【図面の簡単な説明】
【００２７】
【図１】本発明にかかる額縁の一実施形態を示す斜視図。
【図２】額縁を構成する背板の斜視図。
【図３】背板上でのジグソーパズルの組立て過程を示す斜視図。
【図４】背板上でジグソーパズルの組立てが完成した状態を示す斜視図。
【図５】図１におけるＡ−Ａ線拡大断面図。
【図６】図１に示す額縁を背面側から見た斜視図。
【図７】別の実施形態の額縁を構成する背板を分解して示す斜視図。
【図８】別の実施形態の額縁を構成する背板の要部の拡大断面図。
【符号の説明】
【００２８】
１      額縁
２      外枠
２１    嵌合溝
３      透明カバー
４      背板
５      凹所
Ｐ      ジグソーパズル
Ｐ−Ｐ  パズル片
【図１】
2008073300.tif 000003
【図２】
2008073300.tif 000004
【図３】
2008073300.tif 000005
【図４】
2008073300.tif 000006
【図５】
2008073300.tif 000007
【図６】
2008073300.tif 000008
【図７】
2008073300.tif 000009
【図８】
2008073300.tif 000010